(57)【要約】【課題】光学筐体を外装筐体に固定する際に、簡易な構成で光学筐体の変形を防止するプロジェクターを提供する。【解決手段】プロジェクター１は、ネジ孔２７１を有し、光源装置３０、光源装置３０から射出された光束を画像情報に応じて変調する光変調装置（液晶パネル３４１）、および液晶パネル３４１で変調された光束を投写する投写レンズ３５を収容する外装筐体２と、挿通孔５５１ｅを有し、光学素子を収容する光学筐体５と、挿通孔５５１ｅに挿入されネジ孔２７１と螺合することにより光学筐体５および外装筐体２を固定するネジ８２と、ネジ８２のネジ頭部８２１と挿通孔５５１ｅの外周部（底面５５１ｄ）との間に設置され、ネジ頭部８２１と底面５５１ｄとを付勢する付勢部材（コイルバネ６）と、を備える。【選択図】図６
2014228577.tif 000002
【特許請求の範囲】
【請求項１】
ネジ孔を有し、光源装置、前記光源装置から射出された光束を画像情報に応じて変調する光変調装置、および前記光変調装置により変調された光束を投写する投写レンズを収容する外装筐体と、
挿通孔を有し、光学素子を収容する光学筐体と、
前記挿通孔に挿入され前記ネジ孔と螺合することにより前記光学筐体および前記外装筐体を固定するネジと、
前記ネジのネジ頭部と前記挿通孔の外周部との間に設置され、前記ネジ頭部と前記外周部とを付勢する付勢部材と、を備えることを特徴とするプロジェクター。
【請求項２】
請求項１に記載のプロジェクターであって、
前記付勢部材を用いて固定する前記固定部は、前記光源装置の近傍に配置されることを特徴とするプロジェクター。
【請求項３】
請求項２に記載のプロジェクターであって、
前記光学筐体は、前記光源装置を着脱可能に収容する光源収容部を有し、
前記付勢部材を用いて固定する前記固定部は、前記光源収容部と前記光源装置とが接続される位置に配置されることを特徴とするプロジェクター。
【請求項４】
請求項１〜請求項３のいずれか一項に記載のプロジェクターであって、
前記光学筐体は、前記外周部に、前記付勢部材を案内する第１案内部を有していることを特徴とするプロジェクター。
【請求項５】
請求項１〜請求項４のいずれか一項に記載のプロジェクターであって、
前記光学筐体は、前記ネジ頭部を案内する第２案内部を有していることを特徴とするプロジェクター。
【請求項６】
請求項１〜請求項５のいずれか一項に記載のプロジェクターであって、
前記付勢部材は、コイルバネで構成されていることを特徴とするプロジェクター。
【発明の詳細な説明】
【技術分野】
【０００１】
本発明は、プロジェクターに関する。
【背景技術】
【０００２】
従来、光源装置から射出された光束を画像情報に応じて変調し、変調した光束を投写レンズで投写するプロジェクターが知られている。このようなプロジェクターには、光学素子を収容する光学筐体が備えられている。そして、この光学筐体はネジにより外装筐体に固定される構造となっている。
【０００３】
図７は、従来の、ネジ９４による光学筐体９１と外装筐体９２との固定構造を示す断面図である。図７に示すように、従来、プロジェクターにおける光学筐体９１と外装筐体９２との固定は、光学筐体９１の挿通孔９３にネジ９４を挿通し、外装筐体９２に備えるネジ孔９５に螺合させる構成となっている。また、複数個所で、このような固定を行うことにより、光学筐体９１を外装筐体９２に固定している。
【０００４】
また、特許文献１では、シャシーと取付基板とをネジにより締結する締結機構として、取付基板にシャシーのネジ穴に対応するネジ穴を開け、取付基板にネジ支持部を形成し、ネジ支持部にネジを操作する穴を開け、ネジの先端部をネジ穴に螺着し、穴内にネジの頭部を位置させ、ネジの頭部に座金部を設け、座金部と取付基板との間に、コイルスプリングを配備した構成が開示されている。この締結機構により、ネジの姿勢を適正に保持してネジ締め作業性を改善している。
【先行技術文献】
【特許文献】
【０００５】
【特許文献１】特開２００７−１６２８７８号公報
【発明の概要】
【発明が解決しようとする課題】
【０００６】
しかし、図７に示す従来の構成のように、光学筐体をネジで外装筐体に固定した場合、光学筐体が外装筐体に倣って複数個所で固定されるため、外装筐体の剛性および位置精度に応じて光学筐体が変形するという課題があった。なお、光学筐体に収容された光学素子は、外装筐体への固定の前に、位置調整（光軸調整）が行われ、調整された位置で固定されている。しかし、光学筐体が変形することにより、調整された光学素子の位置ずれが発生する。光学素子の位置ずれが発生することにより、例えば、光源装置からの照明光が光変調装置の画像形成領域を正確に照明できなくなり、投写面上に投写された画像（投写画像）の明るさが低下したり、投写画像の縁にいわゆる影（表示影）が発生したりする等、投写画像の光学品質が劣化してしまう。なお、光学筐体の変形を防止する目的で、外装筐体の剛性を弱く（筐体厚みを薄くする等）した場合には、プロジェクターとしての騒音値が増加するという不具合が発生する。
【０００７】
また、特許文献１の締結機構を、プロジェクターの光学筐体と外装筐体との固定機構として適用した場合、固定に要するスペースが必要となり、プロジェクターが大型化する。
【０００８】
従って、光学筐体を外装筐体に固定する際に、簡易な構成で光学筐体の変形を防止するプロジェクターが要望されていた。
【課題を解決するための手段】
【０００９】
本発明は、上述した課題の少なくとも一部を解決するためになされたものであり、以下の形態または適用例として実現することが可能である。
【００１０】
［適用例１］本適用例に係るプロジェクターは、ネジ孔を有し、光源装置、光源装置から射出された光束を画像情報に応じて変調する光変調装置、および光変調装置により変調された光束を投写する投写レンズを収容する外装筐体と、挿通孔を有し、光学素子を収容する光学筐体と、挿通孔に挿入されネジ孔と螺合することにより光学筐体および外装筐体を固定するネジと、ネジのネジ頭部と挿通孔の外周部との間に設置され、ネジ頭部と外周部とを付勢する付勢部材と、を備えることを特徴とする。
【００１１】
このようなプロジェクターによれば、光学筐体を外装筐体に固定する際、ネジのネジ頭部と挿通孔の外周部との間に設置される付勢部材の付勢力に抗して、ネジを光学筐体の挿通孔に挿通し、外装筐体のネジ孔と螺合させて固定する。このように、付勢部材の付勢力を利用して、光学筐体を外装筐体に固定することができる。従って、付勢部材の付勢力で固定することにより、付勢力を調整して固定力を確保することができ、外装筐体に倣って固定されないため、光学筐体の変形を防止することができる。また、付勢部材をネジのネジ頭部と挿通孔の外周部との間に設置し、付勢部材の付勢力に抗して螺合することでよいため、簡易な構成で、光学筐体の変形を防止することができる。
【００１２】
［適用例２］上記適用例に係るプロジェクターにおいて、付勢部材を用いて固定する固定部は、光源装置の近傍に配置されることが好ましい。
【００１３】
このようなプロジェクターによれば、光源装置の近傍となる固定部に対して付勢部材を用いて固定することにより、光学筐体において、例えば、光源装置を着脱可能に収容する場合、光源装置の近傍となる領域の変形を防止することができるため、光源装置の着脱を確実で円滑に行わせることができる。
【００１４】
［適用例３］上記適用例に係るプロジェクターにおいて、光学筐体は、光源装置を着脱可能に収容する光源収容部を有し、付勢部材を用いて固定する固定部は、光源収容部と光源装置とが接続される位置に配置されることが好ましい。
【００１５】
このようなプロジェクターによれば、光源収容部に光源装置が着脱可能に収容され、光源収容部と光源装置とが接続される位置に配置される固定部に付勢部材を用いる。これにより、光源収容部の変形を防止することができるため、光源装置の着脱を確実で円滑に行わせることができる。
【００１６】
［適用例４］上記適用例に係るプロジェクターにおいて、光学筐体は、外周部に、付勢部材を案内する第１案内部を有していることが好ましい。
【００１７】
このようなプロジェクターによれば、光学筐体の挿通孔の外周部に、付勢部材を案内する第１案内部を有することにより、付勢部材の姿勢を適正に保持させることができ、ネジ締め（ネジのネジ孔への螺合）の作業性を向上させることができる。
【００１８】
［適用例５］上記適用例に係るプロジェクターにおいて、光学筐体は、ネジ頭部を案内する第２案内部を有していることが好ましい。
【００１９】
このようなプロジェクターによれば、ネジの姿勢を適正に保持させることができ、ネジ締めの作業性を向上させることができる。
【００２０】
［適用例６］上記適用例に係るプロジェクターにおいて、付勢部材は、コイルバネで構成されていることが好ましい。
【００２１】
このようなプロジェクターによれば、コイルバネという簡易な部材で付勢部材を構成することができる。
【図面の簡単な説明】
【００２２】
【図１】実施形態に係るプロジェクターの光学系の構成を示す模式図。
【図２】光学装置を上方向から見た斜視図。
【図３】光学装置を裏返した状態の斜視図。
【図４】光学筐体を外装筐体に固定した状態を示す斜視図。
【図５】下収容部の固定部と、この固定部に対応する下ケースの固定部との固定構造を示す概断面図。
【図６】下収容部の固定部と、この固定部に対応する下ケースの固定部との固定構造を示す斜視断面図。
【図７】従来の、ネジによる光学筐体と外装筐体との固定構造を示す断面図。
【発明を実施するための形態】
【００２３】
以下、実施形態を図面に基づいて説明する。
〔実施形態〕
【００２４】
図１は、実施形態に係るプロジェクター１の光学系の構成を示す模式図である。図２は、光学装置３を上方向から見た斜視図である。図３は、光学装置３を裏返した（上下を逆転させた）状態の斜視図である。図４は、光学筐体５を外装筐体２（下ケース２２）に固定した状態を示す斜視図である。
【００２５】
図１を含め、以降に示す図では、説明の便宜上、ＸＹＺ直交座標系を併記して、適宜使用する。ＸＹＺ直交座標系は、プロジェクター１からの画像光の投写方向をＺ軸（＋Ｚ方向）とする。そして、Ｚ軸に直交し、水平（左右）方向をＸ軸（投写レンズ３５の先端面に相対して見た場合の右方向が＋Ｘ方向）とし、Ｚ軸とＸ軸とに直交し、鉛直（上下）方向をＹ軸（投写レンズ３５の先端面に相対して見た場合の上方向を＋Ｙ方向）とする。
【００２６】
〔プロジェクター１の概構成〕
本実施形態のプロジェクター１は、概直方体となる外装筐体２で覆われている。外装筐体２の内部には、ユニット化された光学装置３を備えている。また、外装筐体２の内部には、電源装置や、電気回路ブロックや、冷却機構等を備えている。外装筐体２は、上ケース（図示省略）と下ケース２２（図４参照）とで概ね構成されている。上ケースは、外装筐体２の上面および前面２ａ（投写側の面）と、左面２ｅおよび右面２ｆの上側（いずれも図４参照）とを構成している。下ケース２２は、図４に示すように、外装筐体２の下面２ｂと、左面２ｅおよび右面２ｆの下側とを構成している。なお、本実施形態では、上ケース、下ケース２２は、合成樹脂部材で構成されている。
【００２７】
外装筐体２の前面２ａの左右方向略中央には、図２に示す投写レンズ３５の先端が突出している。外装筐体２の上面には、投写画像の投写位置を調整するダイヤル４１，４２（図２参照）が突出する。そして、利用者によりダイヤル４１，４２が回転操作されることで、投写レンズ３５が上下方向および左右方向に移動し、投写面上の投写画像の位置（投写位置）が調整される。また、外装筐体２の左面２ｅには、図４に示すように、光源装置３０を交換する際の開口部２３が形成されている。本実施形態では、光源装置３０は、左面２ｅの開口部２３から着脱する構成となっている。
【００２８】
〔光学系の構成と動作〕
プロジェクター１は、制御部（図示省略）による制御に基づき、光源装置３０から射出された光束を光学的に処理して画像情報に応じた画像光を形成して投写する装置である。プロジェクター１の光学系は、光源装置３０、照明光学装置３１、色分離光学装置３２、リレー光学装置３３、電気光学装置３４、および投写レンズ３５を備えて構成されている。
【００２９】
光源装置３０は、光源３０１およびリフレクター３０２を備えている。光源装置３０は、光源３０１から射出された光束をリフレクター３０２によって射出方向を揃え、システム光軸ＳＡに略平行な光束にして照明光学装置３１に向けて射出する。システム光軸ＳＡは、光源装置３０から被照明領域側に射出される光束の中心軸である。本実施形態の光源装置３０は超高圧水銀ランプを用いている。
【００３０】
照明光学装置３１は、第１レンズアレイ３１１と、第２レンズアレイ３１２と、偏光変換素子３１３と、重畳レンズ３１４と、平行化レンズ３１５と、を備えている。第１レンズアレイ３１１は、システム光軸ＳＡ方向から見て略矩形状の輪郭を有する小レンズがマトリクス状に配列された構成を有している。各小レンズは、光源装置３０から射出された光束を部分光束に分割し、システム光軸ＳＡに沿った方向に射出する。第２レンズアレイ３１２は、第１レンズアレイ３１１の小レンズから射出された部分光束に対応して、小レンズがマトリクス状に配列された構成を有している。第２レンズアレイ３１２は、第１レンズアレイ３１１から射出された部分光束をそれぞれ重畳レンズ３１４に向けて射出する。
【００３１】
偏光変換素子３１３は、第２レンズアレイ３１２から射出されたランダム偏光光となる各部分光束を液晶パネル３４１で利用可能な略１種類の偏光光に揃える機能を有する。なお、第２レンズアレイ３１２から射出され、偏光変換素子３１３によって略１種類の偏光光に変換された各部分光束は、重畳レンズ３１４によって、液晶パネル３４１の表面に略重畳される。なお、重畳レンズ３１４から射出された光束は、平行化レンズ３１５により平行化されて液晶パネル３４１に重畳される。平行化レンズ３１５は、詳細には、後述する３色の色光毎に設けられている。
【００３２】
色分離光学装置３２は、第１ダイクロイックミラー３２１と、第２ダイクロイックミラー３２２と、反射ミラー３２３と、を備えている。色分離光学装置３２は、照明光学装置３１から射出された光束を、赤色（Ｒ）光、緑色（Ｇ）光、青色（Ｂ）光の３色の色光に分離する。
【００３３】
リレー光学装置３３は、入射側レンズ３３１と、リレーレンズ３３３と、反射ミラー３３２，３３４と、を備えている。リレー光学装置３３は、色分離光学装置３２で分離されたＲ光をＲ光用の液晶パネル３４１Ｒまで導く。なお、本実施形態では、リレー光学装置３３がＲ光を導く構成としているが、これに限定されず、例えば、Ｂ光を導く構成としてもよい。
【００３４】
電気光学装置３４は、入射側偏光板３４２と、光変調装置としての液晶パネル３４１（Ｒ光用の液晶パネルを３４１Ｒ、Ｇ光用の液晶パネルを３４１Ｇ、Ｂ光用の液晶パネルを３４１Ｂとする）と、射出側偏光板３４３と、クロスダイクロイックプリズム３４４と、を備えている。入射側偏光板３４２および射出側偏光板３４３は、液晶パネル３４１Ｒ，３４１Ｇ，３４１Ｂ毎に設けられている。
【００３５】
液晶パネル３４１（３４１Ｒ，３４１Ｇ，３４１Ｂ）は、色分離光学装置３２で色光毎に分離された光束（照明光）を画像情報（信号）に応じて変調する。クロスダイクロイックプリズム３４４は、４つの直角プリズムを貼り合わせた平面視略正方形状を有し、全体として、直方体形状に形成されている。また、直角プリズム同士を貼り合わせた界面には、２つの誘電体多層膜が形成されている。クロスダイクロイックプリズム３４４は、液晶パネル３４１Ｒ，３４１Ｇ，３４１Ｂで変調された各色光（各変調光）を合成し、投写レンズ３５に射出する。
【００３６】
なお、電気光学装置３４は、本実施形態では、クロスダイクロイックプリズム３４４の隣接する３つの側面に、色光に対応させて、それぞれ射出側偏光板３４３と液晶パネル３４１とが設置される。また、入射側偏光板３４２は、光学筐体５に設置される。
【００３７】
投写レンズ３５は、複数のレンズを組み合わせた組レンズで構成され、電気光学装置３４で変調され合成された合成光（変調光）による画像光を、所望の拡大率で拡大して、スクリーン上にカラーの静止画又は動画を投写する。ここで、投写レンズ３５の光軸ＯＡは、システム光軸ＳＡに対して平行であり、上方向に若干ずれて設定されている。これは、電気光学装置３４から射出された画像光（変調光）を投写レンズ３５で上側に偏らせて投写させるためである。
【００３８】
〔光学装置３の構成〕
図２、図３に示すように、光学装置３は、上述した光学系を構成する各光学装置を収容してユニット化した装置であり、外観的に、光学筐体５と、光学筐体５の＋Ｚ端面側に、保持部材４を介して電気光学装置３４と投写レンズ３５とが設置されて構成されている。また、光学装置３は、光学筐体５の−Ｘ端面側に、光源装置３０を着脱可能に保持して構成されている。
【００３９】
光学筐体５の内部には、図１に示す照明光学装置３１、色分離光学装置３２、およびリレー光学装置３３を構成する光学素子と、電気光学装置３４を構成する入射側偏光板３４２とが収容されている。また、光源装置３０は、概直方体の光源筐体３００内部に、上述する光源３０１やリフレクター３０２等を収容している。
【００４０】
保持部材４は、上述するように、電気光学装置３４と投写レンズ３５とを保持している。また、保持部材４は、投写画像の投写位置を調整するダイヤル４１，４２を含む調整機構を保持している。このような保持部材４が光学筐体５に固定される。
【００４１】
〔光学筐体５の構成〕
光学筐体５は、図２、図３に示すように、箱状の下収容部５１と、蓋状の上収容部５２とで構成されている。そして、下収容部５１に光学素子を収容した後、下収容部５１の上部を覆うよう上収容部５２を設置する。なお、下収容部５１と上収容部５２とは、それぞれの外周部の相対する位置に複数の筐体固定部５４１を有しており、ネジ（図示省略）によりネジ締めすることで固定され、ユニット化される。これにより、光学筐体５内部の光学素子は、下収容部５１と上収容部５２とにより、上下方向から挟まれて所定の位置に収容される。
【００４２】
また、光学筐体５は、−Ｘ端面側に、光源装置３０を着脱可能に収容する光源収容部５３を備えている。光源収容部５３は、−Ｘ端面側を開口するように形成され、外装筐体２の左面２ｅに形成された開口部２３（図４参照）から挿入される光源装置３０を、光源収容部５３に収容して固定する。
【００４３】
〔光学装置３の光軸調整〕
光学装置３は、本実施形態では、光学装置３を外装筐体２に固定する前に、光学筐体５内部に収容する光学素子の光軸調整を行っている。
【００４４】
光軸調整の一例を説明する。
最初に、光源装置３０を点灯させ、射出された光束を各光学素子に通過させ、投写レンズ３５を介してスクリーン上に投写画像として投写させる。この投写された投写画像は、全面白色の画像ではなく、白色領域と、白色領域の外周部分（上下左右方向）に、色の付いた領域を有している。この色の付いた領域を取り除き、白色領域のみとなるように、調整装置（図示省略）を用いて、重畳レンズ３１４およびリレーレンズ３３３の位置調整（重畳レンズ３１４とリレーレンズ３３３間の光軸調整）を行う。なお、色の付いた領域が存在する場合には表示影の一因となる。
【００４５】
また、所定のテストパターンを用いて、スクリーン上に投写された投写画像を目視しながら、調整装置（図示省略）により、各液晶パネル３４１に対する各入射側偏光板３４２の向きを変化させて、入射側偏光板３４２の位置調整（光軸調整）を行う。
なお、調整された光学素子は、下収容部５１の所定位置に接着固定される。
【００４６】
〔光学筐体５の外装筐体２への固定〕
図４に示すように、光軸調整を終えた光学装置３（光学筐体５）は、外装筐体２を構成する下ケース２２に固定される。図４では、下ケース２２と、下ケース２２に固定される光学筐体５のみを図示している。なお、図４では、光学筐体５の上収容部５２を取り去った状態を示しており、下収容部５１と光源収容部５３とを図示している。また、図４では、下収容部５１の内部に収容される光学素子も図示している。
【００４７】
図４に示すように、光学筐体５は、下収容部５１を下ケース２２に固定することにより固定される。下収容部５１には、本実施形態では、外周部に５箇所の固定部５５が形成されている。詳細には、図３に示すように、光源装置３０と光源収容部５３とが接続される位置に、２つの固定部５５１，５５２が形成されている。また、投写レンズ３５を保持する保持部材４の周囲に、２つの固定部５５４，５５５が形成され、反射ミラー３３２が下収容部５１に収納される位置の付近（下収容部５１における固定部５５５の対角位置の付近）には、１つの固定部５５３が形成されている。
【００４８】
下収容部５１の５箇所の固定部５５に対応して、下ケース２２には、５箇所の固定部２５が形成されている。図４には、下収容部５１の固定部５５３に対応する下ケース２２の固定部２５３を図示している。
【００４９】
〔下収容部５１の固定部５５３，５５４，５５５と、下ケース２２の固定部２５３，２５４，２５５との固定構造〕
図５は、下収容部５１の固定部５５３と、この固定部５５３に対応する下ケース２２の固定部２５３との固定構造を示す概断面図である。なお、下収容部５１の固定部５５４，５５５と、下ケース２２の固定部２５４，２５５とのそれぞれの固定構造も同様となる。説明の便宜上、固定部５５３（２５３）を取り上げて、固定構造を説明する。
【００５０】
図５に示すように、下収容部５１の固定部５５３は、ネジ８１により、下ケース２２の固定部２５３と固定される。この固定構造は、図７で説明した、従来のネジ９４による固定構造と同様となる。
【００５１】
詳細には、下収容部５１の外周部に突出して形成された固定部５５３（図４参照）には、ネジ８１を挿通する挿通孔５５３ａが形成される。一方、下ケース２２には、固定部５５３に対応して、ダボ状で内面側に突出する固定部２５３が形成される。この固定部２５３には、ネジ８１と螺合するネジ孔２６１が形成された（雌ネジ加工された）、ネジ固定用のいわゆるインサートナット２６が挿入され固定されている。
【００５２】
そして、ネジ８１を固定部５５３の挿通孔５５３ａに挿通して、固定部２５３（インサートナット２６）のネジ孔２６１に螺合することにより、下収容部５１の固定部５５３を下ケース２２の固定部２５３に固定する。残りの固定部５５４（２５４），５５５（２５５）も、上述した固定部５５３（２５３）の固定構造と同様に構成されており、同様の方法で固定される。
【００５３】
本実施形態では、比較的重量の大きい投写レンズ３５を保持する保持部材４と下収容部５１とが接続される位置の付近に配置される２つの固定部５５４，５５５に対して、従来と同様の、後述するコイルバネ６を使用せずネジ８１による固定構造を用いている。当該固定構造で固定部５５４，５５５が固定されることにより、投写レンズ３５の重量等に起因して、下収容部５１および下収容部５１に収容される光学部品が移動して位置ずれを起こすことを防止する。
【００５４】
また、本実施形態では、下収容部５１について固定部５５５の対角位置の付近に配置される固定部５５３に対しても、従来と同様のネジ８１による固定構造を用いている。固定部５５３の固定は、後述するネジ８２とコイルバネ６による固定構造を用いる構成としてもよい。
【００５５】
〔光学筐体５の固定部５５１，５５２と、下ケース２２の固定部２５１，２５２との固定構造〕
図６は、光学筐体５の固定部５５１と、この固定部５５１に対応する下ケース２２の固定部２５１との固定構造を示す斜視断面図である。詳細には、図３に示す光学筐体５の固定部５５１をＹＺ平面で切断した断面図を示している。なお、光学筐体５の固定部５５２と、下ケース２２の固定部２５２との固定構造も同様となる。説明の便宜上、固定部５５１（２５１）を取り上げて、固定構造を説明する。
【００５６】
２つの固定部５５１，５５２は、図３に示すように、光源装置３０と光源収容部５３とが接続される位置に形成されている。この固定部５５１，５５２の固定は、付勢部材としてのコイルバネ６と、ネジ８２とにより、下ケース２２の固定部２５１，２５２にそれぞれ固定される。
【００５７】
図６に示すように、光学筐体５の固定部５５１は、平面が円形で溝状に形成され、ネジ８２を案内するネジ案内部５５１ａ（第２案内部）と、ネジ案内部５５１ａに繋がり、ネジ案内部５５１ａの径より小さく形成され、コイルバネ６を案内するバネ案内部５５１ｂ（第１案内部）とを備えている。また、バネ案内部５５１ｂの先端部が底面５５１ｄとなっている。
【００５８】
ネジ案内部５５１ａとバネ案内部５５１ｂとは、傾斜面となるテーパ部５５１ｃで繋がっている。底面５５１ｄには、ネジ８２を挿通する挿通孔５５１ｅが形成されている。なお、バネ案内部５５１ｂは、言い換えると、挿通孔５５１ｅの外周部となる底面５５１ｄに形成されている。
【００５９】
図６に示すように、下ケース２２の固定部２５１は、光学筐体５の固定部５５１に対応して、ダボ状で内面側に突出して形成される。この固定部２５１には、ネジ８２と螺合するネジ孔２７１が形成された（雌ネジ加工された）、ネジ固定用のいわゆるインサートナット２７が挿入され固定されている。
【００６０】
ネジ８２は、ネジ頭部８２１と、雄ネジ加工されたネジ軸部８２２とで構成されている。ネジ頭部８２１は、ネジ頭部８２１の外形を拡げるツバ部８２１ａを備えている。
【００６１】
〔固定部５５１，２５１の固定方法〕
図６に示すように、最初に、コイルバネ６をネジ案内部５５１ａに挿入する。挿入されたコイルバネ６は、テーパ部５５１ｃを通過してバネ案内部５５１ｂに案内され、一端部が底面５５１ｄに当接した状態となる。バネ案内部５５１ｂは、ネジ８２（ネジ軸部８２２）を円滑に挿通できるように、コイルバネ６の傾きを規制して適正な状態に、コイルバネ６の姿勢を保持する。
【００６２】
次に、ネジ８２をネジ案内部５５１ａに挿入する。ネジ８２は、ネジ案内部５５１ａに案内されて、ネジ軸部８２２がコイルバネ６の他端からコイルバネ６を挿通し、挿通孔５５１ｅを挿通する。ネジ案内部５５１ａは、ネジ締め作業が円滑に行えるように、ネジ８２の傾きを規制した適正な状態に、ネジ８２の姿勢を保持する。この状態で、ネジ締め用の工具（ドライバー等）をネジ案内部５５１ａに挿入し、ドライバーの先端部をネジ頭部８２１の溝（−溝または＋溝）に当てて回転させる。なお、ドライバーとして、本実施形態では、トルクを管理できるドライバー（図示省略）を用いている。
【００６３】
ドライバーを回転させることにより、ネジ軸部８２２を固定部２５１（下ケース２２）のネジ孔２７１に螺合することで、ネジ締めを開始する。このとき、コイルバネ６は、他端部をネジ頭部８２１（ツバ部８２１ａ）に当接し、一端部を挿通孔５５１ｅの外周部となる底面５５１ｄに当接する。言い換えると、コイルバネ６は、ネジ頭部８２１と底面５５１ｄとの間に設置され、ネジ頭部８２１と底面５５１ｄとに挟まれた状態（ネジ頭部８２１と底面５５１ｄとを付勢する状態）となる。
【００６４】
ネジ締めは、コイルバネ６の付勢力に抗して行われ、所定のトルク（ネジ締め量）となった場合に、それ以上のネジ締めを止める。このネジ締めにより、所定のトルクに対応するコイルバネ６の付勢力が、光学筐体５の固定部５５１と下ケース２２の固定部２５１とを固定する固定力となる。以上のネジ締めにより、固定部５５１，２５１が固定される。なお、光学筐体５の固定部５５２と下ケース２２の固定部２５２との固定も同様に行われる。
【００６５】
なお、本実施形態の固定部５５１，５５２における固定構造は、コイルバネ６の付勢力を利用して固定する構造であり、付勢力を調整して固定力を確保している。そのため、下ケース２２に倣って光学筐体５が固定されず、下ケース２２に変形が発生した場合に当該変形による力を、コイルバネ６およびネジ８２を用いた固定構造によって緩衝することができるため、下ケース２２の剛性や、下ケース２２の固定部２５の位置精度を許容することができる。
【００６６】
以上のように、光学筐体５（下収容部５１）の固定部５５３〜５５５と、外装筐体２（下ケース２２）の固定部２５３〜２５５とは、ネジ８１によりそれぞれ固定され、固定部５５１，５５２と、固定部２５１，２５２とは、コイルバネ６とネジ８２とによりそれぞれ固定される。これにより、光学筐体５の５箇所の固定部５５と、外装筐体２の５箇所の固定部２５とは、光学筐体５の変形を防止してそれぞれ固定することができる。
【００６７】
上述した実施形態によれば、以下の効果が得られる。
本実施形態のプロジェクター１において、ネジ８２のネジ頭部８２１と挿通孔５５１ｅの外周部となる底面５５１ｄとの間に設置されるコイルバネ６の付勢力に抗して、ネジ８２を光学筐体５の挿通孔５５１ｅに挿通し、外装筐体２（下ケース２２）のネジ孔２７１と螺合させて固定する。このように、コイルバネ６の付勢力を利用して、光学筐体５を外装筐体２に固定することができる。従って、コイルバネ６の付勢力で固定することにより、付勢力を調整して固定力を確保することができると共に、外装筐体２に倣って固定されないため、外装筐体２（下ケース２２）の剛性や、固定部２５の位置精度を許容することができ、光学筐体５の変形を防止して固定することができる。
【００６８】
この固定構造により、光学筐体５を外装筐体２に固定する際に、光学筐体５の変形を防止することができるため、光軸調整された光学素子の位置ずれを防止することができる。これにより、光源装置３０からの照明光が、光変調装置（液晶パネル３４１）の画像形成領域を正確に照明することができ、投写面上に投写された画像（投写画像）の明るさを所定の明るさに維持し、投写画像の縁に表示影が発生することを防止することができる。これにより、投写画像の光学品質の劣化を防止することができる。
【００６９】
また、この固定構造では、コイルバネ６をネジ８２のネジ頭部８２１と底面５５１ｄとの間に設置し、コイルバネ６の付勢力に抗して螺合することでよいため、簡易な構成で、光学筐体５の変形を防止することができる。
【００７０】
本実施形態のプロジェクター１において、２箇所の固定部５５１，５５２に対して、コイルバネ６を用いて固定している。これにより、光学筐体５の変形を防止することができると共に、光学筐体５を外装筐体２へ確実に固定することができる。
【００７１】
本実施形態のプロジェクター１において、光源装置３０の近傍となる固定部５５１，５５２に対してコイルバネ６を用いて固定することにより、光源装置３０を着脱可能に収容する光源収容部５３を有する光学筐体５の変形を防止しつつ、光学筐体５における光源装置３０の近傍も固定することができる。これにより、光源装置３０が着脱される際の光学筐体５のガタつきを抑制することができ、利用者に対して光源装置３０の着脱を確実で円滑に行わせることができる。
【００７２】
本実施形態のプロジェクター１において、光学筐体５と外装筐体２（下ケース２２）に対し、ネジ８１およびネジ８２を同じ方向から螺合して固定することで組立性を向上させており、且つ、少なくとも一部の固定を、ネジ８２とコイルバネ６とを用いた固定構造にすることにより、光学筐体５の変形の防止を図っている。即ち、本願発明の固定構造は、光学筐体５と外装筐体２との固定の組立性を良好にしつつ、外装筐体２の変形に倣っての光学筐体５の変形を防止することができる。
【００７３】
本実施形態のプロジェクター１において、光学筐体５は、挿通孔５５１ｅの外周部（底面５５１ｄ）に、コイルバネ６を案内するバネ案内部５５１ｂを有するため、コイルバネ６の姿勢を適正に保持させることができ、ネジ締め（ネジ軸部８２２のネジ孔２７１への螺合）の作業性を向上させることができる。
【００７４】
本実施形態のプロジェクター１において、光学筐体５は、ネジ頭部８２１を案内するネジ案内部５５１ａを有するため、ネジ８２の姿勢を適正に保持させることができ、ネジ締めの作業性を向上させることができる。
【００７５】
本実施形態のプロジェクター１において、付勢部材としてコイルバネ６を用いている。これにより、簡易な部材で付勢部材を構成することができる。
【００７６】
なお、上述した実施形態に限定されず、その要旨を逸脱しない範囲において種々の変更や改良等を加えて実施することが可能である。変形例を以下に述べる。
【００７７】
前記実施形態の光学筐体５の下ケース２２への固定は、５箇所で行っていたが、固定箇所は５箇所には限定されない。また、２箇所でコイルバネ６とネジ８２とを用いて固定しているが、２箇所には限定されない。
【００７８】
前記実施形態のコイルバネ６を用いて固定する固定部５５，２５は、光源装置３０と光源収容部５３とが接続される位置に配置される固定部５５１（２５１），５５２（２５２）であるが、これに限定されない。
【００７９】
前記実施形態のコイルバネ６を用いずネジ８１により固定する固定部５５（２５）は、投写レンズ３５を保持する保持部材４の付近の固定部５５４，５５５（２５４，２５５）と、反射ミラー３３２が配置される付近の固定部５５３（２５３）としたが、これに限定されない。
【００８０】
前記実施形態では、付勢部材としてコイルバネ６を用いている。しかし、これに限定されず、付勢部材として、板バネや、合成樹脂部材で形成されるバネ部材や、ゴム部材等の弾性部材等、を用いてもよい。
【００８１】
前記実施形態の固定部５５１（２５１）の固定において、トルク管理できるドライバーを用いて、所定のトルク（所定の付勢力）となるように締め付けている。しかし、トルク管理ができないドライバー（通常のドライバー）を用いてネジ締めを行ってもよい。このような場合、固定部５５１のバネ案内部５５１ｂの端面（底面５５１ｄに対して逆側となる面）に底面５５１ｄと平行な平面部を設け、この平面部にネジ頭部８２１を当接させた状態とした場合に所定の付勢力となるように平面部の高さを設定することでもよい。このようにバネ案内部５５１ｂを構成することにより、トルクが管理できないドライバーを用いても、バネ案内部５５１ｂの平面部にネジ頭部８２１が当接するまでネジ締めすることでよいため、作業性が向上する。また、メンテナンス性も向上する。
【００８２】
その他、トルク管理ができないドライバーを用いる構成として、下ケース２２に設置するインサートナット２７のネジ孔２７１の加工長さ（ネジの螺合する量）を規定することで、所定の長さ分をネジ締めした場合に、所定のトルク（所定の付勢力）となるように構成することでもよい。
【００８３】
なお、上記のネジ頭部８２１を当接させる平面部を形成したバネ案内部５５１ｂを用いて固定した場合、コイルバネ６がバネ案内部５５１ｂの内部に圧縮されて隠れてしまうため、実際にコイルバネ６を用いて固定されているか否かが外観的に判断できない状況となる。そのような場合には、バネ案内部５５１ｂの側面の一部に切り欠き部や孔部等を形成しておくことがよい。この場合、バネ案内部５５１ｂの内部に隠れたコイルバネ６の一部が、この切り欠き部や孔部を介して露出することになるため、外観で確認することができる。
【００８４】
なお、上記の切り欠き部や孔部は、前記実施形態のバネ案内部５５１ｂに（または、バネ案内部５５１ｂと下収容部５１にかけて）設置することでもよい、これにより、下収容部５１の側面から、切り欠き部や孔部を介して、コイルバネ６が用いられているか否かを確認することができる。
【００８５】
前記実施形態の固定部５５（２５）の固定において、下ケース２２の固定部２５には、インサートナット２６，２７が設置されている。しかし、インサートナット２６，２７を使用しない構成でもよい。この場合、ネジとして、いわゆるタップタイトネジを用い、下ケース２２の固定部２５には、ネジ孔として、雌ネジ加工が施されていない下穴を形成し、この下穴にタップタイトネジを直接ねじ込む構成としてもよい。このような構成とすることで、インサートナット２６，２７が不要となり、固定に要するコストを低減することができる。
【００８６】
前記実施形態の光源装置３０は、超高圧水銀ランプを用いている。しかし、光源装置３０は、種々の放電型のランプを用いることができ、例えば、メタルハライドランプや高圧水銀ランプ等を用いることができる。また、光源として、ＬＥＤ（Light emitting diode）光源やレーザー光源等の固体光源を用いることもできる。
【００８７】
前記実施形態のプロジェクター１は、電気光学装置３４として、透過型の液晶パネル３４１を用いている。しかし、これに限定されず、反射型の液晶パネルを用いてもよい。
【００８８】
前記実施形態のプロジェクター１は、電気光学装置３４として、３つの液晶パネル３４１Ｒ，３４１Ｇ，３４１Ｂを用いている。しかし、これに限定されず、１つまたは２つの液晶パネルを用いた電気光学装置、４つ以上の液晶パネルを用いた電気光学装置にも適用可能である。
【００８９】
前記実施形態の光学装置３は、色分離光学装置３２、リレー光学装置３３、電気光学装置３４等を用いて各色の光変調を行っている。しかし、これらに代えて、例えば、光源装置３０、照明光学装置３１によって照明されるカラーホイールと、マイクロミラーの画素によって構成されカラーホイールの透過光が照射されるデバイス（例えば、ＤＭＤ（Digital Micromirror Device））とを組み合わせたものを用いることによって、カラーの光変調および合成を行うことでもよい。
【符号の説明】
【００９０】
１…プロジェクター、２…外装筐体、５…光学筐体、６…コイルバネ、２２…下ケース、２５…下ケースの固定部、３０…光源装置、３５…投写レンズ、５１…下収容部、５５…下収容部の固定部、８２…ネジ、２５１，２５２…下ケースの固定部、２７１…ネジ孔、３４１…液晶パネル、５５１，５５２…下収容部の固定部、５５１ａ…ネジ案内部、５５１ｂ…バネ案内部、５５１ｄ…底面、５５１ｅ…挿通孔、８２１…ネジ頭部、８２２…ネジ軸部。
【図１】
2014228577.tif 000003
【図２】
2014228577.tif 000004
【図３】
2014228577.tif 000005
【図４】
2014228577.tif 000006
【図５】
2014228577.tif 000007
【図６】
2014228577.tif 000008
【図７】
2014228577.tif 000009